(57)【特許請求の範囲】
【請求項１】
上部に荷受け台（１２）を備えるネスティングラック（１）であって、
前記ネスティングラック（１）は、
下部及び両側部に配置され、左右方向（Ｙ）に所定間隔を置いて配置され、かつ、前後方向（Ｘ）に延設される一対の側フレーム（１６）と、
前記下部に配置され、前記各側フレーム（１６）の後端に連結され、かつ、前記左右方向（Ｙ）に延設される後フレーム（１５）と、
前部に配置され、前記各側フレーム（１６）の前端に連結され、かつ、上下方向（Ｚ）に延設される一対の前支柱（１３）と、
後部に配置され、前記後フレーム（１５）の両端から所定距離（Ｌ）だけ離れて配置され、かつ、前記上下方向（Ｚ）に延設される一対の後支柱（１４）と、
前記各側フレーム（１６）の前部に配置される一対の前載置ブロック（２０）と、
前記各側フレーム（１６）の後部に配置される一対の後載置プレート（２１）と、を備え、
前記後載置プレート（２１）は、
前記左右方向（Ｙ）の外側に配置され、前記左右方向（Ｙ）に延設され、かつ、前記前支柱（１３）及び前記側フレーム（１６）の幅（Ｔ）と同一距離（Ｌ２）である平坦部（２１０）と、
前記左右方向（Ｙ）の内側から外側に下方向に傾斜して前記平坦部に連結する傾斜部（２１１）と、を備え、
前記荷受け台（１２）は、
前記前部に配置され、前記各前支柱（１３）の上端に連結され、かつ、前記左右方向（Ｙ）に延設される前荷受けフレーム（１２０）と、
前記後部に配置され、前記各後支柱（１４）の上端に連結され、かつ、前記左右方向（Ｙ）に延設される後荷受けフレーム（１２１）と、
前記両側部に配置され、前記後荷受けフレーム（１２１）の両端に連結され、かつ、前記前後方向（Ｘ）に延設される一対の側荷受けフレーム（１２２）と、
前記各側荷受けフレーム（１２２）と前記前荷受けフレーム（１２０）との間の段差部に設けられると共に、前記前支柱（１３）及び前記側フレーム（１６）の幅（Ｔ）と同一距離（Ｌ２）だけ離れた位置から前記側荷受けフレーム（１２２）に傾斜するように配置される一対の第１案内プレート（２２）と、を備える
ことを特徴とするネスティングラック。
【請求項２】
前記第１案内プレート（２２）は、台形であって、上辺（２２ａ）が前記左右方向（Ｙ）に対して傾斜すると共に、両側辺（２２ｂ，２２ｃ）が前記上下方向（Ｚ）に対して傾斜するように配置される
ことを特徴とする請求項１に記載のネスティングラック。
【請求項３】
前記荷受け台（１２）は、
前記左右方向（Ｙ）に延設されると共に、前記前荷受けフレーム（１２０）と前記後荷受けフレーム（１２１）との間に配置される中間荷受けフレーム（１２３）と、
前記中間荷受けフレーム（１２３）に設けられると共に、フォークリフトの一対のフォーク部（Ｆ）を案内する一対の第２案内プレート（２３）と、を備える
ことを特徴とする請求項１又は２に記載のネスティングラック。
【発明の詳細な説明】
【技術分野】
【０００１】
本発明は、商品の保管及び陳列等で使用されるネスティングラックに関する。
【背景技術】
【０００２】
商品の保管及び陳列等で使用されるネスティングラックが特許文献１等に開示されている。使用時には、複数のネスティングラックが積み重ねられる。積み重ねられた複数のネスティングラックに商品が保管及び陳列される。不使用時には、複数のネスティングラックがネスティング（入れ子）される。そして、フォークリフトによって、ネスティングラックがネスティングされると共に、ネスティングされたネスティングラック群からネスティングラックが取り出される。
【０００３】
ネスティングされた各ネスティングラックの位置が大きくずれないように、ネスティングされた各ネスティングラックの間の余裕が小さくなるように、ネスティングラックが設計されている。そのため、フォークリフトを操作するオペレータが熟練者でない場合、ネスティングラックをネスティングすることは非常に難しく、作業時間が長くなる。
【先行技術文献】
【特許文献】
【０００４】
【特許文献１】特開２００５−２２８０７号公報
【発明の概要】
【発明が解決しようとする課題】
【０００５】
そこで、本発明が解決しようとする課題は、フォークリフトを操作するオペレータが熟練者でない場合でも、容易にフォークリフトでネスティングできるネスティングラックを提供することである。
【課題を解決するための手段】
【０００６】
上記課題を解決するために、本発明に係るネスティングラックは、
上部に荷受け台を備えるネスティングラックであって、
ネスティングラックは、
下部及び両側部に配置され、左右方向に所定間隔を置いて配置され、かつ、前後方向に延設される一対の側フレームと、
下部に配置され、各側フレームの後端に連結され、かつ、左右方向に延設される後フレームと、
前部に配置され、各側フレームの前端に連結され、かつ、上下方向に延設される一対の前支柱と、
後部に配置され、後フレームの両端から所定距離だけ離れて配置され、かつ、上下方向に延設される一対の後支柱と、
各側フレームの前部に配置される一対の前載置ブロックと、
各側フレームの後部に配置される一対の後載置プレートと、を備え、
後載置プレートは、
左右方向の外側に配置され、左右方向に延設され、かつ、前支柱及び側フレームの幅と同一距離である平坦部と、
左右方向の内側から外側に下方向に傾斜して平坦部に連結する傾斜部と、を備え、
荷受け台は、
前部に配置され、各前支柱の上端に連結され、かつ、左右方向に延設される前荷受けフレームと、
後部に配置され、各後支柱の上端に連結され、かつ、左右方向に延設される後荷受けフレームと、
両側部に配置され、後荷受けフレームの両端に連結され、かつ、前後方向に延設される一対の側荷受けフレームと、
各側荷受けフレームと前荷受けフレームとの間の段差部に設けられると共に、前支柱及び側フレームの幅と同一距離だけ離れた位置から側荷受けフレームに傾斜するように配置される一対の第１案内プレートと、を備える。
【０００７】
好ましくは、
第１案内プレートは、台形であって、上辺が左右方向に対して傾斜すると共に、両側辺が上下方向に対して傾斜するように配置される。
【０００８】
好ましくは、
荷受け台は、
左右方向に延設されると共に、前荷受けフレームと後荷受けフレームとの間に配置される中間荷受けフレームと、
中間荷受けフレームに設けられると共に、フォークリフトの一対のフォーク部を案内する一対の第２案内プレートと、を備える。
【発明の効果】
【０００９】
本発明に係るネスティングラックは、フォークリフトを操作するオペレータが熟練者でない場合でも、容易にフォークリフトでネスティングラックをネスティングできる。
【図面の簡単な説明】
【００１０】
【図１】ネスティングラックを示す斜視図。
【図２】図１のＡ矢視図（平面図）。
【図３】（Ａ）は図１のＢ矢視図（正面図）、（Ｂ）は図２のＢ矢視拡大図。
【図４】図１のＣ矢視図（右側面図）。
【図５】図１のＤ矢視図（背面図）。
【図６】ネスティングされたネスティングラック群を示す側面図。
【図７】第１案内プレートを示し、（Ａ）は第１実施形態の斜視図、（Ｂ）は第２実施形態の斜視図。
【発明を実施するための形態】
【００１１】
以下、図面に基づいて、本発明に係るネスティングラックの一実施形態を説明する。なお、前後方向Ｘ、左右方向Ｙ及び上下方向Ｚは、互いに直行する。
【００１２】
図１〜図５の通り、ネスティングラック１は、下部が開放されると共に、上部に荷受け台１２を備える（所謂「逆ネステナー」）。使用時において、荷物が載置されたパレット等（不図示）が、ネスティングラック１の荷受け台１２に載置される。
【００１３】
ネスティングラック１は、下部かつ両側部に配置される一対の側フレーム１６を備える。各側フレーム１６は、左右方向Ｙに所定間隔を置いて配置され、かつ、前後方向Ｘに延設される。
【００１４】
ネスティングラック１は、下部に配置される後フレーム１５を備える。後フレーム１５は、各側フレーム１６の後端に連結され、かつ、左右方向Ｙに延設される。ネスティングラック１は、前部に配置される一対の前支柱１３を備える。各前支柱１３は、各側フレーム１６の前端に連結され、かつ、上下方向Ｚに延設される。
【００１５】
ネスティングラック１は、後部に配置される一対の後支柱１４を備える。後支柱１４は上下方向Ｚに延設される。後支柱１４は、後フレーム１５の両端から所定距離Ｌだけ離れて配置される。距離Ｌは、前支柱１３及び側フレーム１６の幅Ｔより大きい（図５）。これにより、図６の通り、複数のネスティングラック１がネスティング（入れ子）されるとき、各ネスティングラック１の前支柱１３及び後支柱１４は衝突しない。
【００１６】
図６の通り、複数のネスティングラック１がネスティング（入れ子）されるとき、上のネスティングラック１の側フレーム１６が下のネスティングラック１の側フレーム１６の上に載置されると共に、上のネスティングラック１の前支柱１３の前部が下のネスティングラック１の前支柱１３の後部に当接する。
【００１７】
ネスティングラック１は、各側フレーム１６の前部に配置される一対の前載置ブロック２０を備える。ネスティングラック１は、各側フレーム１６の後部に配置される一対の後載置プレート２１を備える。
【００１８】
図１及び図５の通り、後載置プレート２１の幅Ｌ１は、後フレーム１５の端部から後支柱１４までの所定距離Ｌと略同一、または溶接代分だけ若干大きい。後載置プレート２１は、左右方向Ｙの外側に配置される平坦部２１０を備える。平坦部２１０の高さは、左右方向Ｙに延設され、載置ブロック２０の高さと同一である。後載置プレート２１は、左右方向Ｙの内側から外側に下方向に傾斜して平坦部２１０に連結する傾斜部２１１を備える。
【００１９】
後載置プレート２１の平坦部２１０の距離Ｌ２は、前支柱１３及び側フレーム１６の幅Ｔと略同一である。また、後載置プレート２１の傾斜部２１１の距離Ｌ３は、後載置プレート２１の幅Ｌ１と平坦部２１０の距離Ｌ２（Ｔ）との差である。
【００２０】
これにより、複数のネスティングラック１がネスティング（入れ子）されるとき、上のネスティングラック１の側フレーム１６が、下のネスティングラック１の後載置プレート２１の傾斜部２１１に案内されて、下のネスティングラック１の前載置ブロック２０及び後載置プレート２１の平坦部２１０に載置される。
【００２１】
図１及び図２の通り、荷受け台１２は、前支柱１３の上端に連結される前荷受けフレーム１２０を備える。前荷受けフレーム１２０は、左右方向Ｙに延設される。荷受け台１２は、後支柱１４の上端に連結される後荷受けフレーム１２１を備える。後荷受けフレーム１２１は、左右方向Ｙに延設される。荷受け台１２は、両側部に配置される一対の側荷受けフレーム１２２を備える。側荷受けフレーム１２２は、後荷受けフレーム１２１の両端に連結されると共に、前後方向Ｘに延設される。
【００２２】
荷受け台１２は、一対の第１案内プレート２２を備える。第１案内プレート２２は、側荷受けフレーム１２２と前荷受けフレーム１２０との間の段差部に設けられる。第１案内プレート２２は、前支柱１３及び側フレーム１６の幅Ｔ（前荷受けフレーム１２２の端部から後載置プレート２１の平坦部２１０に対応する距離Ｌ２）だけ離れた位置から側荷受けフレーム１２２に左右方向Ｙに傾斜するように配置される。また、第１案内プレート２２の幅Ｌ４は、距離Ｌと距離Ｌ２（Ｔ）との差である。
【００２３】
図７に基づいて、第１案内プレート２２を詳しく説明する。
図７（Ａ）の通り、第１実施形態では、第１案内プレート２２は、長方形である。第１案内プレート２２は、上辺２２ａが左右方向Ｙに対して角度θだけ傾斜するように配置される。さらに、第１案内プレート２２は、両側辺２２ｂ、２２ｃが上下方向Ｚに対して平行に配置される。
【００２４】
図７（Ｂ）の通り、第２実施形態では、第１案内プレート２２は、台形である。第１案内プレート２２は、上辺２２ａが左右方向Ｙに対して角度θだけ傾斜するように配置される。さらに、第１案内プレート２２は、一方の側辺２２ｂが上下方向Ｚに対して角度αだけ傾斜するように配置され、他方の側辺２２ｃが上下方向Ｚに対して角度βだけ傾斜するように配置される。
【００２５】
上記の通り、各実施形態の第１案内プレート２２の上辺２２ａが左右方向Ｙに対して角度θだけ傾斜するように配置される。これにより、複数のネスティングラック１がネスティング（入れ子）されるとき、上のネスティングラック１の前支柱１３が、下のネスティングラック１の第１案内プレート２２に案内されて、下のネスティングラック１の前支柱１３に当接される。
【００２６】
第２実施形態の第１案内プレート２２の一方の側辺２２ｂが上下方向Ｚに対して角度αだけ傾斜するように配置され、他方の側辺２２ｃが上下方向Ｚに対して角度βだけ傾斜するように配置される。これにより、複数のネスティングラック１がネスティング（入れ子）されるとき、上のネスティングラック１の前支柱１３が、左右方向Ｙだけでなく上下方向Ｚにも、下のネスティングラック１の第１案内プレート２２に案内されて、下のネスティングラック１の前支柱１３に当接される。
【００２７】
図１及び図２の通り、荷受け台１２は、前荷受けフレーム１２０と後荷受けフレーム１２１との間に配置される中間荷受けフレーム１２３を備える。中間荷受けフレーム１２３は、左右方向Ｙに延設される。荷受け台１２は、一対の側荷受けフレーム１２２の間に配置される複数の追加フレーム１２４を備える。追加フレーム１２４は、前後方向Ｘに延設される。
【００２８】
荷受け台１２は、中間荷受けフレーム１２３に設けられる一対の第２案内プレート２３を備える。各第２案内プレート２３は、左右方向Ｙに所定間隔を置いて配置される。
【００２９】
図３（Ｂ）の通り、第２案内プレート２３は、中間荷受けフレーム１２３の下端から下方向に突出する傾斜部２３０を備える。各第２案内プレート２３の傾斜部２３０は、互いに対向する。フォークリフトがネスティングラック１を運搬するとき、フォークリフトの一対のフォーク部Ｆは、一対の第２案内プレート２３の内側に配置される。フォークリフトのフォーク部Ｆは、第２案内プレート２３の傾斜部２３０に案内されて所定位置に配置される。
【００３０】
以上、本発明の好ましい実施形態を説明したが、本発明の構成はこれらの実施形態に限定されない。
【００３１】
上記の通り、複数のネスティングラック１がネスティング（入れ子）されるとき、上のネスティングラック１の側フレーム１６が、下のネスティングラック１の後載置プレート２１の傾斜部２１１に案内されて、下のネスティングラック１の前載置ブロック２０及び後載置プレート２１の平坦部２１０に載置される。さらに、複数のネスティングラック１がネスティング（入れ子）されるとき、上のネスティングラック１の前支柱１３が、下のネスティングラック１の第１案内プレート２２に案内されて、下のネスティングラック１の前支柱１３に当接される。
【００３２】
これにより、ネスティングラック１は、載置プレート２１の傾斜部２１０及び第１案内プレート２２の幅Ｌ４だけ余裕を有する。すなわち、ネスティングラック１をネスティングするとき、側フレーム１６（前支柱１３）と荷受け台１２の側荷受けフレーム１２２との間に、距離Ｌ４の隙間Ｓが生じる。この隙間Ｓが余裕となり、フォークリフトを操作するオペレータが熟練者でない場合でも、容易にフォークリフトでネスティングラック１をネスティングできる。
【００３３】
さらに、後載置プレート２１の傾斜部２１１及び第１案内プレート２２が、上のネスティングラック１の側フレーム１６を下のネスティングラック１の後載置プレート２１の平坦部２１０に案内し、かつ、上のネスティングラック１の前支柱１３を下のネスティングラック１の荷受け台１２の前荷受けフレーム１２０に案内する。これにより、ネスティングされた各ネスティングラック１が位置決めされてずれない。
【００３４】
さらに、後載置プレート２１は、後支柱１４と後フレーム１５との間の連結部分を補強する。また、第１案内プレート２２は、前荷受けフレーム１２０と側荷受けフレーム１２２との間の連結部分を補強する。
【００３５】
さらに、第１案内プレート２２の一方の側辺２２ｂが上下方向Ｚに対して角度αだけ傾斜するように取り付けられ、他方の側辺２２ｃが上下方向Ｚに対して角度βだけ傾斜するように取り付けられる。これにより、複数のネスティングラック１がネスティング（入れ子）されるとき、上のネスティングラック１の前支柱１３が、左右方向Ｙだけでなく上下方向Ｚにも、下のネスティングラック１の第１案内プレート２２に案内されて、下のネスティングラック１の前支柱１３に当接される。その結果、ネスティングラック１が上下方向Ｚに案内される間、下のネスティングラック１の前支柱１３の塗装が剥がれない。
【符号の説明】
【００３６】
１  ネスティングラック
１２  荷受け台
１２０  前荷受けフレーム
１２１  後荷受けフレーム
１２２  側荷受けフレーム
１２３  中間荷受けフレーム
１３  前支柱
１４  後支柱
１５  後フレーム
１６  側フレーム
２０  前載置ブロック
２１  後載置プレート
２１０  平坦部
２１１  傾斜部
２２  第１案内プレート
２３  第２案内プレート
Ｌ，Ｌ１，Ｌ２，Ｌ３，Ｌ４  距離
Ｔ  前支柱及び側フレームの幅
Ｘ  前後方向
Ｙ  左右方向
Ｚ  上下方向
【要約】
【課題】フォークリフトを操作するオペレータが熟練者でない場合でも、容易にフォークリフトでネスティングできるようにする。
【解決手段】ネスティングラック１は、各側フレーム１６の後部に配置される一対の後載置プレート２１を備え、後載置プレート２１は、左右方向Ｙの外側に配置され、左右方向に延設され、かつ、前支柱１３及び側フレーム１６の幅Ｔと同一距離である平坦部２１０と、左右方向Ｙの内側から外側に下方向に傾斜して平坦部２１０に連結する傾斜部２１１と、を備え、荷受け台１２は、各側荷受けフレーム１２２と前荷受けフレーム１２０との間の段差部に設けられると共に、前支柱１３及び側フレーム１６の幅Ｔと同一距離だけ離れた位置から側荷受けフレーム１２２に傾斜するように配置される一対の第１案内プレート２２を備える。
【選択図】図１【図１】
0006901229.tif 000002
【図２】
0006901229.tif 000003
【図３】
0006901229.tif 000004
【図４】
0006901229.tif 000005
【図５】
0006901229.tif 000006
【図６】
0006901229.tif 000007
【図７】
0006901229.tif 000008